(57)【要約】【課題】ダイナミックＡＦモードにおける焦点調節の応答性能と被写体の追尾性能を向上させる。【解決手段】撮影画面内の複数の焦点検出エリアの内の予め設定された領域内の焦点検出エリアで検出される焦点検出結果に基づいて、撮影レンズの焦点調節を行うカメラの焦点調節装置において、カメラの動きを検出し、カメラの動きが検出されると前記領域を拡大し、拡大した領域内の焦点検出エリアで検出される焦点検出結果に基づいて撮影レンズの焦点調節を行う。【選択図】図９
2010072284.tif 000002
【特許請求の範囲】
【請求項１】
撮影画面内の複数の焦点検出エリアで撮影レンズの焦点調節状態を検出する焦点検出手段と、
前記焦点検出手段による焦点検出結果に基づいて前記撮影レンズの焦点調節を行う焦点調節手段と、
前記複数の焦点検出エリアの内の予め設定された領域内の焦点検出エリアで検出される前記焦点検出結果に基づいて、前記焦点調節手段により前記撮影レンズの焦点調節を行う制御手段とを備えたカメラの焦点調節装置において、
カメラの動きを検出する動き検出手段を備え、
前記制御手段は、前記動き検出手段によりカメラの動きが検出されると前記領域を拡大し、拡大した領域内の焦点検出エリアで検出される前記焦点検出結果に基づいて前記焦点調節手段により前記撮影レンズの焦点調節を行うことを特徴とするカメラの焦点調節装置。
【請求項２】
請求項１に記載のカメラの焦点調節装置において、
前記動き検出手段はカメラの動く方向を検出し、
前記制御手段は、前記動き検出手段により検出されたカメラの動く方向に応じた前記領域の拡大を行うことを特徴とするカメラの焦点調節装置。
【請求項３】
請求項２に記載のカメラの焦点調節装置において、
前記制御手段は、カメラの動く方向のみに前記領域を拡大することを特徴とするカメラの焦点調節装置。
【請求項４】
請求項２に記載のカメラの焦点調節装置において、
前記制御手段は、カメラの動く方向とその逆方向に同じ量だけ前記領域を拡大することを特徴とするカメラの焦点調節装置。
【請求項５】
請求項１〜４のいずれか一項に記載のカメラの焦点調節装置において、
前記動き検出手段はカメラの動く速さを検出し、
前記制御手段は、カメラの動く速さが速いほど前記領域の拡大量を大きくすることを特徴とするカメラの焦点調節装置。
【発明の詳細な説明】
【技術分野】
【０００１】
本発明はカメラの焦点調節装置に関する。
【背景技術】
【０００２】
撮影画面内に複数の焦点検出エリアを設定し、選択したエリアの焦点検出結果に基づいて撮影レンズの焦点調節を行う際に、ピントを合わせたい主要被写体が選択エリアから外れても、他のエリアの焦点検出結果を用いて主要被写体にピントを合わせ続ける、いわゆるダイナミックＡＦ（自動焦点調節）モードを有するカメラの焦点調節装置が知られている（例えば、特許文献１参照）。
【０００３】
この出願の発明に関連する先行技術文献としては次のものがある。
【特許文献１】特開平０９−３１８８６５号公報
【発明の開示】
【発明が解決しようとする課題】
【０００４】
ところで、カメラの焦点調節装置では焦点検出エリアの多点化が進んでおり、撮影画面内に数十点あるいはそれ以上の焦点検出エリアを設定したカメラが出現している。このような多くの焦点検出エリアを有するカメラにおいて、上述した従来のカメラの焦点調節制御を行うと、選択エリア以外のすべての焦点検出エリアで焦点検出を行うため、焦点検出演算時間がかかる上に、主要被写体に近似した他の被写体を主要被写体と誤認する可能性が高くなる。
そこで、ダイナミックＡＦにおいて焦点検出結果を参照する焦点検出エリアの領域を選択エリアの周辺領域に制限し、その領域内の焦点検出エリアの焦点検出結果を用いてダイナミックＡＦを実行しているが、被写体の動きによっては上記領域からも外れることがあり、かといって領域を拡大すると上述した焦点検出時間と主要被写体誤認の問題が発生する。
【課題を解決するための手段】
【０００５】
（１）  請求項１の発明は、撮影画面内の複数の焦点検出エリアで撮影レンズの焦点調節状態を検出する焦点検出手段と、焦点検出手段による焦点検出結果に基づいて撮影レンズの焦点調節を行う焦点調節手段と、複数の焦点検出エリアの内の予め設定された領域内の焦点検出エリアで検出される焦点検出結果に基づいて、焦点調節手段により撮影レンズの焦点調節を行う制御手段とを備えたカメラの焦点調節装置において、カメラの動きを検出する動き検出手段を備え、制御手段は、動き検出手段によりカメラの動きが検出されると領域を拡大し、拡大した領域内の焦点検出エリアで検出される焦点検出結果に基づいて焦点調節手段により撮影レンズの焦点調節を行う。
（２）  請求項２の発明は、請求項１に記載のカメラの焦点調節装置において、動き検出手段はカメラの動く方向を検出し、制御手段によって、動き検出手段により検出されたカメラの動く方向に応じた領域の拡大を行うようにしたものである。
（３）  請求項３の発明は、請求項２に記載のカメラの焦点調節装置において、制御手段によって、カメラの動く方向のみに領域を拡大するようにしたものである。
（４）  請求項４の発明は、請求項２に記載のカメラの焦点調節装置において、制御手段によって、カメラの動く方向とその逆方向に同じ量だけ領域を拡大するようにしたものである。
（５）  請求項５の発明は、請求項１〜４のいずれか一項に記載のカメラの焦点調節装置において、動き検出手段はカメラの動く速さを検出し、制御手段によって、カメラの動く速さが速いほど領域の拡大量を大きくするようにしたものである。
【発明の効果】
【０００６】
本発明によれば、焦点検出演算時間を短縮して焦点調節制御における応答性を向上させながら、主要被写体に近似した他の被写体を主要被写体と誤認する可能性を低減でき、主要被写体に対してピントを合わせ続けることができる。
【発明を実施するための最良の形態】
【０００７】
本発明の焦点調節装置を一眼レフレックス・ディジタルカメラに搭載した一実施の形態を説明する。なお、本発明の焦点調節装置は、一眼レフレックス・ディジタルカメラに限定されず、コンパクトカメラやビデオカメラなどのあらゆる種類のカメラに適用することができる。
【０００８】
図１は一実施の形態の一眼レフレックス・ディジタルカメラの構成を示し、図２は一実施の形態のカメラの横断面図を示す。なお、図１および図２において、本発明と直接、関係のないカメラの機器および回路の図示を省略する。マイクロコンピューター１はＣＰＵやメモリなどの周辺部品を備え、カメラの各種演算と各種シーケンス制御を実行するとともに、後述する制御プログラムを実行して焦点調節制御を実行する。一実施の形態のカメラはレンズ交換式の例を示し、マイクロコンピューター１は交換レンズに内蔵されるレンズ制御装置（不図示）から開放絞り値、焦点距離、射出瞳などのレンズ情報を入力する。
【０００９】
測光回路２は、測光センサー３により被写体輝度を複数の領域に分割して計測する。露出制御回路４は、測光回路２により検出された被写体輝度と、予め設定された撮像感度とに基づいてシャッター速度と絞り値を演算し、シャッター制御部５と絞り制御部６を制御する。シャッター制御部５は演算結果のシャッター速度となるようにシャッター７を制御し、絞り制御部６は演算結果の絞り値となるように絞り８を制御する。
【００１０】
焦点検出回路９は、カメラボディ底部に配置される焦点検出センサー１０から交換レンズ１１の焦点調節状態を示す信号を入力し、位相差検出方式により交換レンズ１１のデフォーカス量を検出する。レンズ駆動回路１２は検出結果のデフォーカス量にしたがって交換レンズ１１のフォーカシングレンズ（不図示）を駆動し、焦点調節を行う。なお、この一実施の形態ではフォーカシングレンズを駆動するモーターを交換レンズ１１に内蔵する例を示すが、カメラボディ内に設置してもよい。モード設定回路１３は、露出、オートフォーカス、画像などの各種撮影モードを設定する。設定操作部材１４はカメラの設定操作を行う操作部材であり、レリーズボタン（不図示）の第１ストロークで閉路する半押しスイッチＳＷ１、レリーズボタンの前述の第１ストロークよりも深い第２ストロークで閉路する全押しスイッチＳＷ２などが含まれる。
【００１１】
撮像素子１５はＣＣＤやＣＭＯＳなどにより構成され、交換レンズ１１により結像された被写体像を撮像して被写体像信号を出力する。Ａ／Ｄ変換回路１６は撮像素子１５から出力される被写体像信号をＡ／Ｄ変換する。タイミング回路１７は、撮像素子１５の撮像タイミングとＡ／Ｄ変換回路１６のＡ／Ｄ変換タイミングを制御する。画像処理制御回路１８は、被写体像データに対してホワイトバランス調整、シャープネス調整、ガンマ補正、階調調整などの画像処理を行うとともに、各色の被写体像データに対して補間処理を行う。なお、撮像素子１５、Ａ／Ｄ変換回路１６、タイミング回路１７および画像処理制御回路１８は、撮像素子１５の後方に配置される撮像基板１９上に実装される。
【００１２】
ＳＤＲＡＭ２０は補正後の被写体像データを一時的に記憶し、画像用記録媒体２１は被写体像データと撮影データをまとめて各種ファイル形式で記録する。なお、画像記録媒体２１にはコンパクトフラッシュ（登録商標）やＳＤカード、スマートメディアなどを用いることができる。背面液晶制御回路２２は、カメラボディの背面に設けられた背面液晶モニター２３を制御して画像や各種情報を表示する。ファインダー内表示制御回路２４はファインダー内透過型液晶表示器２５とそのバックライト２６を制御し、ファインダー接眼窓（不図示）から視認されるファインダー画面の下方に撮影モード、撮影枚数、シャッター速度、絞り値などの各種撮影情報を表示する。
【００１３】
ファインダー光学系のペンタダハプリズム２７と接眼レンズ２８、２９、３０の間には、ダイクロイックプリズム３１、３２が配置される。ペンタダハプリズム２７とダイクロイックプリズム３１、３２は互いに接着され、ペンタダハプリズム２７とダイクロイックプリズム３１の接着面と、ダイクロイックプリズム３１と３２の接着面は、交換レンズ１１の光軸に対して互いに異なる角度の２つの光学面を形成する。ダイクロイックプリズム３１、３２の上部には、投影レンズ３３、折り返しミラー３４、スーパーインポーズ透過型液晶表示器３５、照明レンズ３６、照明用ＬＥＤ光源３７が配置される。なお、ダイクロイックプリズム３２の射出面上部にはプリズム３８と測光レンズ３９が配置され、これらにより被写体光が測光センサー３へ導かれる。
【００１４】
スーパーインポーズ表示制御回路４０は、ダイクロイックプリズム３１、３２の上部に配置されるスーパーインポーズ透過型液晶表示器３５と照明用ＬＥＤ光源３７を制御し、交換レンズ１１によりスクリーン４１上に結像される被写体像に、図４に示す５１カ所のフォーカスエリア（焦点検出エリア）マークを重ね合わせて表示する、すなわちスーパーインポーズ表示する。スーパーインポーズ透過型液晶表示器３５はシャッターの機能を有しており、ＬＥＤ光源３７からの赤色光が表示部分を透過して投影レンズ３３により拡大され、さらにダイクロイックプリズム３１、３２の２つの光学面により反射されてペンタダハプリズム２７からの被写体像に重ね合わされる。すなわち、フォーカスエリアマークが被写体像にスーパーインポーズ表示される。なお、スーパーインポーズ透過型液晶表示器３５により表示されるフォーカスエリアマークは照明用ＬＥＤ光源３７の色（この実施の形態では赤色）で表示される。
【００１５】
図２において、交換レンズ１１のレンズ群を透過した被写体光は、その一部がメインミラー４２により反射されてファインダー光学系へ導かれ、スクリーン４１上に結像される。スクリーン４１上に結像された被写体像は、ペンタダハプリズム２７、ダイクロイックプリズム３１、３２、接眼レンズ２８〜３０を透過してファインダー接眼窓へ導かれ、撮影者に視認される。このとき、スーパーインポーズ透過型液晶表示器３５によりフォーカスエリアマークが被写体像に重ね合わされてスーパーインポーズ表示される。
【００１６】
また、図２において、交換レンズ１１のレンズ群を透過した被写体光は、その一部がメインミラー４２を透過しサブミラー４３により反射されて焦点検出センサー１０へ導かれる。焦点検出センサー１０は、周知の位相差検出方式により撮影画面内のフォーカスエリアマークの各位置において交換レンズ１１の焦点調節状態、すなわちデフォーカス量が検出される。そして、５１カ所のフォーカスエリアの中から所定のアルゴリズムにより最終的にフォーカス検出すべきフォーカスエリアが選択され、選択されたフォーカスエリアはスーパーインポーズによりファインダー画像に表示される。なお、撮影者がフォーカスエリアを任意に選択した場合には、その選択エリアがファインダー画像にスーパーインポーズ表示される。
【００１７】
さらに、図２において、撮影時にはメインミラー４２とサブミラー４３が結像レンズ１１の撮影光路から退避され、被写体光はシャッター７、ローパスフィルター４４を介して撮像素子１７へ導かれ、撮像素子１７上に結像されて撮像される。
【００１８】
加速度センサー４５は、図２および図３に示すように基板１９上に設置され、Ｘ軸方向すなわちカメラの左右方向と、Ｙ軸方向すなわちカメラの上下方向の加速度を検出する。カメラを正位置に構えて静止被写体を捕捉しているときには、Ｘ軸方向の加速度は０Ｇになり、Ｙ軸方向下向きの加速度が１Ｇになる。カメラを正位置に構えて被写界を水平方向に移動している被写体を捕捉しながらカメラをターンオーバーさせるときは、Ｘ軸方向の加速度が検知される。また、カメラを正位置に構えて被写界を天地方向に移動している被写体を捕捉しながらカメラをターンオーバーさせるときは、Ｙ軸方向の加速度が検知される。なお、カメラを被写界の地の方向へターンオーバーすると、Ｙ軸方向に１Ｇを超える加速度が検知される。また、加速度センサー４５の加速度検出値の極性によってＸ軸方向の左方向と右方向を、Ｙ軸方向の上方向と下方向をそれぞれ識別可能である。
【００１９】
図３は一実施の形態の一眼レフレックス・ディジタルカメラの背面図である。カメラの背面には設定操作部材１４と背面液晶モニター２３が設けられている。ここでは設定操作部材１４の各種スイッチの中で、焦点調節制御に直接関係のあるものだけを説明する。ＡＦモードスイッチ１４ａは自動焦点調節（ＡＦ）モードを切り換えるための操作部材であり、シングルＡＦモード、ダイナミックＡＦモード、オートエリアＡＦモードの３つのＡＦモードからいずれかを選択するためのスイッチである。
【００２０】
シングルＡＦモードは、選択したフォーカスエリアでのみ自動焦点調節（ＡＦ）を行うモードである。ダイナミックＡＦモードは、選択されたフォーカスエリアからピントを合わせたい主要被写体が一時的に外れた場合でも、他のフォーカスエリアで検出されたデフォーカス量を用いて主要被写体にピントを合わせ続けるモードである。オートエリアＡＦモードは、カメラがフォーカスエリアを選択してピントを合わせるモードである。
【００２１】
図５は一実施の形態のファインダー画面を示す。この一実施の形態では、撮影画面内の５１カ所にフォーカスエリア（図中に矩形枠で示す）が設定されている。撮影者がいずれかのフォーカスエリアを選択すると、選択されたフォーカスエリアのみが点灯される。なお、図５では説明を解りやすくするためにすべてのフォーカスエリアが点灯された状態を示すが、通常はこのようにすべてのフォーカスエリアが点灯されることはない。撮影画面外のファインダー画面下方には、上述したファインダー内透過型液晶表示器２５により撮影モード、撮影枚数、シャッター速度、絞り値などの各種撮影情報が表示される。
【００２２】
図６は、ダイナミックＡＦモードでスポーツカーに乗った人物を捕捉した場合のファインダー画面を示す。選択エリアは撮影画面中央のフォーカスエリアである。主要被写体であるスポーツカーに乗った人物が画面中央のフォーカスエリアから外れた場合に、上述した従来の焦点調節装置では、選択エリア以外のフォーカスエリアで検出されたデフォーカス量を用いて主要被写体にピントを合わせ続けようとする。例えば、画面中央の選択エリア以外の５０点のフォーカスエリアで焦点検出を行ってデフォーカス量を検出し、それらの中から画面中央のフォーカスエリアで前回検出されたデフォーカス量に近いデフォーカス量を抽出し、そのデフォーカス量にしたがって焦点調節を行い、主要被写体にピントを合わせ続ける。
【００２３】
ところが、多くのフォーカスエリアを有するカメラで従来のダイナミックＡＦモードにおける焦点調節方法を実施すると、焦点検出演算時間がかかる上に、主要被写体に近似した他の被写体を主要被写体と誤認する可能性が高くなる。そこで、この一実施の形態では、選択エリアの周辺の例えば合計９点のフォーカスエリアで検出されたデフォーカス量に基づいて主要被写体にピントを合わせ続ける。なお、ここでは選択エリア周辺のダイナミックＡＦにおいて参照するフォーカスエリア、すなわちダイナミックＡＦにおける有効エリアの領域を９点のフォーカスエリアを含む領域としたが、必ずしもこの大きさの領域に限定する必要はない。
【００２４】
これにより、選択エリア以外のすべてのフォーカスエリアをダイナミックＡＦモードにおける有効エリアとする場合に比べ、焦点検出演算時間を短縮でき、焦点調節制御における応答性を向上させながら、主要被写体に近似した他の被写体を主要被写体と誤認する可能性を低減でき、主要被写体に対してピントを合わせ続けることができる。
【００２５】
しかし、スポーツカーに乗った人物のように動きの速い主要被写体を捕捉する場合には、選択エリア周辺のわずか９点のフォーカスエリアでは捕捉しきれず、これらのフォーカスエリアから外れる場合がある。かといって、ダイナミックＡＦにおける有効エリアの領域を大きくすると、上述した焦点検出時間と主要被写体誤認の問題が発生する。
【００２６】
そこで、この一実施の形態では加速度センサー４５によりカメラの向きを変えようとしている方向、つまりカメラをターンオーバーする方向を検出し、検出方向とその逆方向の両方にダイナミックＡＦにおける有効エリアの領域を拡大する。例えば図７に示すように、加速度センサー４５によりＸ軸方向の加速度を検知した場合には、ダイナミックＡＦにおける有効エリアの領域をＸ軸方向とその逆方向の両方に拡大し、合計１５点のフォーカスエリアをダイナミックＡＦにおける有効エリアとし、これらの１５点のフォーカスエリアで検出されたデフォーカス量に基づいて主要被写体にピントを合わせ続ける。
【００２７】
これにより、選択エリア周辺の９点のフォーカスエリアをダイナミックＡＦモードにおける有効エリアとする場合に比べ、さらに動きの速い主要被写体に対してピントを合わせ続けることができる。
【００２８】
また、図７に示す実施例ではカメラをターンオーバーさせる方向とその逆方向の両方にダイナミックＡＦの有効エリアの領域を拡大するので、選択エリアに移動被写体を捕捉しながらカメラをターンオーバーさせるときに、移動被写体の動きに対してカメラを速くターンオーバーさせ過ぎたり、遅れてターンオーバーさせた場合でも、検出方向とその逆方向に拡大した領域内に主要被写体を確実の捕捉でき、この拡大領域内のフォーカスエリアをダイナミックＡＦの有効エリアとして用いて主要被写体にピントを合わせ続けることができる。
【００２９】
なお、図７に示す実施例では、カメラをターンオーバーさせる方向とその逆方向の両方に同じ量だけダイナミックＡＦの有効エリアの領域を拡大する例を示したが、ターンオーバー方向とその逆方向とで拡大量を変えてもよい。
【００３０】
ここで、加速度センサー４５はＸ軸とＹ軸のプラス方向とマイナス方向を識別できるので、加速度のある方向のみにダイナミックＡＦにおける有効エリアの領域を拡大することができる。例えば図８に示すように、加速度センサー４５によりＸ軸のマイナス方向（ここでは撮影画面の左方向）の加速度が検出された場合には、ダイナミックＡＦの領域をＸ軸マイナス方向のみに拡大し、合計１２点のフォーカスエリアをダイナミックＡＦにおける有効エリアとし、これらの１２点のフォーカスエリアで検出されたデフォーカス量に基づいて主要被写体にピントを合わせ続ける。
【００３１】
これにより、加速度を検知した方向のプラス側とマイナス側の両方にダイナミックＡＦにおける有効エリアの領域を拡大する場合に比べ、より焦点検出演算時間を短縮でき、焦点調節制御における応答性をさらに向上させながら、動きの速い主要被写体に対してピントを合わせ続けることができる。
【００３２】
加速度センサー４５によりＸ軸方向とＹ軸方向の両方に加速度を検知した場合、例えば図９に示すように主要被写体が撮影画面の左下り斜め方向に移動した場合には、Ｘ軸方向とＹ軸方向のセンサー出力に基づいて主要被写体の移動方向を判別し、移動方向とその逆方向にダイナミックＡＦにおける有効エリアの領域を拡大する。これにより、図７に示す実施例と同様な効果を得ることができる。
【００３３】
また、図１０に示すように、主要被写体の移動方向、つまり左下方向のみにダイナミックＡＦにおける有効エリアの領域を拡大することによって、図８に示す実施例と同様な効果を得ることができる。
【００３４】
図１１は一実施の形態の制御プログラムを示すフローチャートである。マイクロコンピューター１は、ステップ１でレリーズボタンが半押し操作されてスイッチＳＷ１がオンになるとこの制御プログラムの実行を開始する。ステップ２でＡＦモードスイッチ１４ａによりダイナミックＡＦモードが選択されているか否かを判別し、ダイナミックＡＦモードが選択されている場合はステップ３へ進み、シングルＡＦモード、オートエリアＡＦモードが選択されている場合はステップ５へ進む。
【００３５】
ダイナミックＡＦモードが選択されている場合は、ステップ３で加速度センサー４５のＸ軸方向（カメラの左右方向）と、Ｙ軸方向（カメラの上下方向）の加速度がそれぞれ所定値を超えているか否かを判別する。Ｘ軸方向に所定値以上の加速度が検出された場合、センサー出力がプラスであれば移動被写体を捕捉してカメラを左方向にターンオーバーしていると判別し、センサー出力がマイナスであれば移動被写体を捕捉してカメラを右方向にターンオーバーしていると判別する。
【００３６】
一方、Ｙ軸方向に所定値以上の加速度が検出された場合、センサー出力がプラスであれば移動被写体を捕捉してカメラを上方向にターンオーバーしていると判別し、センサー出力がマイナス１Ｇ以上であれば移動被写体を捕捉してカメラを下方向にターンオーバーしていると判別する。さらに、Ｘ軸方向とＹ軸方向に所定値以上の加速度が検出された場合は、上述したように加速度検出値とその極性によりカメラをターンオーバーしている方向を判別する。
【００３７】
Ｘ軸方向とＹ軸方向の少なくともいずれか一方に所定値以上の加速度が検出された場合はステップ４へ進み、両方向とも所定値未満の場合はステップ５へ進む。ステップ４において、選択エリア周辺の通常のダイナミックＡＦモードにおける有効エリアの領域から、カメラをターンオーバーしている方向（およびその逆方向）、つまり移動被写体の移動方向（およびその逆方向）へダイナミックＡＦにおける有効エリアの領域を拡大する。なお、ダイナミックＡＦモードが選択されていない場合、またはＸ軸方向とＹ軸方向の加速度がともに所定値未満の場合はダイナミックＡＦにおける有効エリアの領域拡大は行わない。
【００３８】
有効エリアの領域を拡大する際に、拡大領域を所定範囲としてもよいが、加速度が大きいほど移動被写体の動きが速いのでその分だけ拡大領域を広くすることによって、動きの速い主要被写体に対してピントを合わせ続けることができる。
【００３９】
ステップ５で選択エリアで焦点検出を行う。このときダイナミックＡＦモードが選択されている場合には、選択エリアにおける今回のデフォーカス量検出値が前回の検出値に比べて所定値以上変化したら、それまで選択エリアで捕捉していた主要被写体を選択エリアから外してしまったと判断する。そして、上述したダイナミックＡＦにおける有効エリア領域内のフォーカスエリアでデフォーカス量を検出し、選択エリアを除く有効エリア領域内のフォーカスエリアで検出されたデフォーカス量の中から、選択エリアで前回検出されたデフォーカス量、つまり選択エリアで主要被写体を捕捉していたときに検出されたデフォーカス量に近いデフォーカス量を抽出し、そのデフォーカス量にしたがって交換レンズ１１のフォーカシングレンズを駆動し、焦点調節を行う。
【００４０】
続くステップ６で測光回路２により被写界の測光を行い、測光結果の被写体輝度に基づいて露出演算を行う。ステップ７においてレリーズボタンの全押し操作が行われて全押しスイッチＳＷ２がオンしているか否かを判別し、オンしていないときはステップ１へ戻り、オンしているときはステップ８へ進む。ステップ８で周知の撮像動作を行い、続くステップ９で撮像画像に各種処理を施した後、画像を記録する。
【００４１】
なお、撮影画面内のフォーカスエリアの個数および配置はこの一実施の形態に限定されない。また、上述した一実施の形態では撮影者が任意に選択したフォーカスエリアを中心にしてダイナミックＡＦにおける有効エリアの領域を決定する例を示したが、カメラが例えば顔認識アルゴリズムなどにより主要被写体を選別し、主要被写体に対応するフォーカスエリアを選択エリアとしてダイナミックＡＦの有効エリア領域を決定してもよい。
【００４２】
ダイナミックＡＦの制御アルゴリズムについては上述した一実施の形態のアルゴリズムに限定されず、周知のダイナミックＡＦアルゴリズムを用いて選択エリアから外れた主要被写体に対してピントを合わせ続けることができる。
【００４３】
上述した一実施の形態では加速度センサー４５を用いてカメラの動き、つまりターンオーバーする方向とその速さを検出する例を示したが、カメラのターンオーバー方向とその速さを検出する動き検出手段は加速度センサーに限定されない。
【００４４】
なお、上述した実施の形態とそれらの変形例において、実施の形態どうし、または実施の形態と変形例とのあらゆる組み合わせが可能である。
【００４５】
上述した実施の形態とその変形例によれば以下のような作用効果を奏することができる。まず、撮影画面内の複数のフォーカスエリアの内の予め設定された領域内のフォーカスエリアで検出される焦点検出結果に基づいて、撮影レンズの焦点調節を行うダイナミックＡＦモードを有するカメラにおいて、カメラの動きを検出し、カメラの動きが検出されると上記領域を拡大し、拡大した領域内の焦点検出エリアで検出される焦点検出結果に基づいて撮影レンズの焦点調節を行うようにしたので、焦点検出演算時間を短縮して焦点調節制御における応答性を向上させながら、主要被写体に近似した他の被写体を主要被写体と誤認する可能性を低減でき、主要被写体に対してピントを合わせ続けることができる。つまり、焦点調節制御の応答性と主要被写体の追尾性能とを向上させることができる。
【００４６】
また、一実施の形態とその変形例によれば、カメラの動く方向を検出し、カメラの動く方向に応じた上記領域の拡大を行うようにしたので、必要最小限の領域拡大により焦点調節制御の応答性と主要被写体の追尾性能とをさらに向上させることができる。
【図面の簡単な説明】
【００４７】
【図１】一実施の形態の構成を示す図
【図２】一実施の形態のカメラの横断面図
【図３】カメラに設置される加速度センサーを示す図
【図４】一実施の形態のカメラの背面図
【図５】フォーカスエリアを重畳表示したファインダー画像を示す図
【図６】ダイナミックＡＦモードにおける有効エリアの通常の領域を示す図
【図７】カメラの左方向に被写体が移動した場合のダイナミックＡＦモードにおける有効エリアの領域拡大例を示す図
【図８】カメラの左方向に被写体が移動した場合のダイナミックＡＦモードにおける有効エリアの領域拡大例を示す図
【図９】カメラの左下方向に被写体が移動した場合のダイナミックＡＦモードにおける有効エリアの領域拡大例を示す図
【図１０】カメラの左下方向に被写体が移動した場合のダイナミックＡＦモードにおける有効エリアの領域拡大例を示す図
【図１１】一実施の形態のカメラの制御プログラムを示すフローチャート
【符号の説明】
【００４８】
１；マイクロコンピューター、９；焦点検出回路、１０；焦点検出センサー、１１；交換レンズ、１２；レンズ駆動回路、４５；加速度センサー
【図１】
2010072284.tif 000003
【図２】
2010072284.tif 000004
【図３】
2010072284.tif 000005
【図４】
2010072284.tif 000006
【図５】
2010072284.tif 000007
【図６】
2010072284.tif 000008
【図７】
2010072284.tif 000009
【図８】
2010072284.tif 000010
【図９】
2010072284.tif 000011
【図１０】
2010072284.tif 000012
【図１１】
2010072284.tif 000013